(57)【特許請求の範囲】
【請求項１】
建物の昇降路内を昇降する乗りかごと、前記建物の乗り場に設けられ、乗り場呼びの入力を受け付ける乗り場釦とを備えたエレベータに適用され、
前記乗りかご内に設けられ、前記乗りかごの運行情報を表示する情報表示器を含むエレベータの表示装置において、
前記乗り場釦による前記乗り場呼びの入力を受け付けた乗り場呼び階を記憶する乗り場呼び階記憶部と、
前記乗り場呼び階記憶部に記憶された前記乗り場呼び階を前記情報表示器に表示する制御を行う表示制御部と、
前記乗りかごの位置を検出する位置検出部と、
前記乗りかごの昇降方向を検出する昇降方向検出部と、を備え、
前記情報表示器は、前記乗りかごのかごドア上方に配置され、
前記乗りかごの現在位置を示す階床番号が点滅して表示され、かご呼びの入力を受け付けたかご呼び階を示す階床番号が点灯して表示されるかご呼び階表示部と、
前記かご呼び階表示部の下方に配置され、前記乗り場呼び階を表示する乗り場呼び階表示部と、を備え、
前記表示制御部は、
前記乗場呼び階が前記乗場呼び階記憶部に記憶されると、前記乗り場呼び階が、前記位置検出部によって検出された前記乗りかごの位置よりも、前記昇降方向検出部によって検出された前記乗りかごの昇降方向側に位置するか否かを判断し、前記昇降方向側に位置すると判断した場合、前記乗り場呼び階を、前記乗り場呼び階表示部に点灯の表示態様を用いて表示し、
前記乗りかごが停止階に到着した際、当該停止階と前記乗り場呼び階記憶部に記憶された乗り場呼び階とが一致した場合、前記乗り場呼び階表示部に点灯の表示態様で表示されている当該乗り場呼び階の表示態様を点滅に変更し、所定時間経過後、消灯させることを特徴とするエレベータの表示装置。
【請求項２】
請求項１記載のエレベータの表示装置において、
前記表示制御部は、前記乗り場呼び階を前記情報表示器に点灯の表示態様で表示させると、当該乗り場呼び階を、前記乗り場呼び階記憶部から削除することを特徴とするエレベータの表示装置。
【請求項３】
請求項１または２記載のエレベータの表示装置であって、
前記かご呼び階表示部は、階床番号が左から右へ一定の間隔を開けて順に並べられ、
前記乗り場呼び階表示部は、前記かご呼び階表示部の各階床番号に対応する位置に発光領域がそれぞれ配置され、前記乗り場呼び階の階床番号に対応する位置の前記発光領域が前記表示態様に応じて点灯表示または点滅表示されることを特徴とするエレベータの表示装置。
【発明の詳細な説明】
【技術分野】
【０００１】
本発明は、利用者に対して乗りかごの運行情報を提供するエレベータの表示装置に関する。
【背景技術】
【０００２】
この種の表示装置の従来技術の１つとして、例えば、下記の特許文献１に示すエレベータのかご内表示装置が知られている。この特許文献１には、エレベータのかご内に設けられ、少なくともかごの現在位置及びかごのアドバンス位置を表示する表示器と、かごの次停止階床が確定したときに表示器に表示されるかごのアドバンス位置の表示パターンを変える手段とを備えた構成が開示されている。
【先行技術文献】
【特許文献】
【０００３】
【特許文献１】特開平５−１３９６４８号公報
【発明の概要】
【発明が解決しようとする課題】
【０００４】
上述した特許文献１の従来技術は、乗りかごの次停止階のみを表示器に表示させる構成であるため、乗りかご内の利用者が乗りかごの全ての停止階を把握することができず、行先階へ到着するまでの時間を予測するのが困難になっている。また、特許文献１の従来技術は、乗りかごの行先階を示すかご呼び階を表示器の主な表示対象としており、乗りかごを乗り場に呼び寄せる乗り場呼びについては十分に考慮されていない。そのため、乗りかごがかご呼び階へ向かう途中の階で乗り場呼びに応答して停止した場合に、乗りかご内の利用者が停止階を自分の行先階と勘違いして降車する可能性がある。
【０００５】
ここで、乗りかご内においては、混雑等の理由で利用者が行先階釦を押下できない状況が発生する。このとき、利用者が乗り場呼びによる停止階を知ることができれば、行先階釦を押下する必要がなくなる。しかし、特許文献１の従来技術では、利用者が乗り場呼びによる停止階を乗りかご内から確認できないので、結局、そのような状況下で行先階釦を押下しなければならず、利用者に対して不便をかけることが懸念されている。
【０００６】
このように、特許文献１の従来技術は、必ずしも建物の各階における乗り場の利用状況を想定した表示を行うものではないため、エレベータの利用者に対する利便性が低いことが問題になっている。
【０００７】
本発明は、このような従来技術の実情からなされたもので、その目的は、エレベータの利用者に対する利便性を向上させることができるエレベータの表示装置を提供することにある。
【課題を解決するための手段】
【０００８】
上記の目的を達成するために、本発明のエレベータの表示装置は、建物の昇降路内を昇降する乗りかごと、前記建物の乗り場に設けられ、乗り場呼びの入力を受け付ける乗り場釦とを備えたエレベータに適用され、前記乗りかご内に設けられ、前記乗りかごの運行情報を表示する情報表示器を含むエレベータの表示装置において、前記乗り場釦による前記乗り場呼びの入力を受け付けた乗り場呼び階を記憶する乗り場呼び階記憶部と、前記乗り場呼び階記憶部に記憶された前記乗り場呼び階を前記情報表示器に表示する制御を行う表示制御部と、前記乗りかごの位置を検出する位置検出部と、前記乗りかごの昇降方向を検出する昇降方向検出部と、を備え、前記情報表示器は、前記乗りかごのかごドア上方に配置され、前記乗りかごの現在位置を示す階床番号が点滅して表示され、かご呼びの入力を受け付けたかご呼び階を示す階床番号が点灯して表示されるかご呼び階表示部と、前記かご呼び階表示部の下方に配置され、前記乗り場呼び階を表示する乗り場呼び階表示部と、を備え、前記表示制御部は、前記乗場呼び階が前記乗場呼び階記憶部に記憶されると、前記乗り場呼び階が、前記位置検出部によって検出された前記乗りかごの位置よりも、前記昇降方向検出部によって検出された前記乗りかごの昇降方向側に位置するか否かを判断し、前記昇降方向側に位置すると判断した場合、前記乗り場呼び階を、前記乗り場呼び階表示部に点灯の表示態様を用いて表示し、前記乗りかごが停止階に到着した際、当該停止階と前記乗り場呼び階記憶部に記憶された乗り場呼び階とが一致した場合、前記乗り場呼び階表示部に点灯の表示態様で表示されている当該乗り場呼び階の表示態様を点滅に変更し、所定時間経過後、消灯させることを特徴としている。
【発明の効果】
【０００９】
本発明のエレベータの表示装置によれば、エレベータの利用者に対する利便性を向上させることができる。前述した以外の課題、構成及び効果は、以下の実施形態の説明により明らかにされる。
【図面の簡単な説明】
【００１０】
【図１】本発明に係る表示装置の一実施形態が適用されるエレベータの構成を示す全体図である。
【図２】図１に示す乗りかごの内部の構成を示す図である。
【図３】図２に示す情報表示器の構成を示す図である。
【図４】図１に示す制御盤の主な機能を示す機能ブロック図である。
【図５】本実施形態に係る制御盤による情報表示器の表示処理の流れを示すフローチャートである。
【発明を実施するための形態】
【００１１】
以下、本発明に係るエレベータの表示装置を実施するための形態を図に基づいて説明する。
【００１２】
図１は本発明に係る表示装置の一実施形態が適用されるエレベータの構成を示す全体図である。なお、同図はエレベータが設置される建物の階のうち模式的に最下階と最上階のみを図示しているが、本実施形態は２階床以上ある建物に対して設置されたエレベータに対して適用可能である。
【００１３】
本発明に係る表示装置の一実施形態は、例えば、図１に示すエレベータ１０１に適用される。このエレベータ１０１は、建物１１に形成された昇降路１２と、建物１１の昇降路１２内を昇降する乗りかご１３と、一端が乗りかご１３に取付けられた主ロープ１４と、この主ロープ１４の他端が取付けられ、昇降路１２内に吊り下げられた釣合い錘１５とを備えている。
【００１４】
また、エレベータ１０１は、昇降路１２の上方に位置する機械室１６に設けられ、乗りかご１３及び釣合い錘１５を駆動する巻上機１７と、この巻上機１７の近傍に配置されたそらせ車１８とを備えている。さらに、エレベータ１０１は、乗り場１９側に開閉可能に設けられ、乗りかご１３の後述のかごドア１３１（図２参照）と連動して出入口を開閉する乗り場ドア１９１と、乗り場１９側の出入口近傍の壁に設けられ、乗りかご１３の乗り場呼びの入力を受け付ける乗り場釦１９２（図４参照）とを備えている。
【００１５】
また、エレベータ１０１は、機械室１６に設けられ、エレベータ１０１全体の動作を制御する制御装置としての制御盤２１と、乗りかご１３内に設けられ、乗りかご１３の運行情報を表示する情報表示器２２とを備えている。なお、情報表示器２２は、制御盤２１に通信ケーブル（図示せず）等を介して通信接続され、制御盤２１の制御に従って動作する。
【００１６】
巻上機１７は、主ロープ１４が巻き掛けられた駆動シーブ１７１と、この駆動シーブ１７１を回転させるモータ１７２と、駆動シーブ１７１の回転を制動するブレーキ装置（図示せず）とを有し、これらのモータ１７２及びブレーキ装置は、制御盤２１に電気的に接続されている。したがって、巻上機１７は、制御盤２１からの制御信号を受けてモータ１７２及びブレーキ装置を作動させることにより、乗りかご１３を釣合い錘１５に対して相対的に昇降させるようにしている。
【００１７】
また、巻上機１７のモータ１７２の出力軸には、モータ１７２の駆動に応じてパルス信号を出力するエンコーダ１７３（図４参照）が取り付けられており、このエンコーダ１７３は制御盤２１に電気的に接続されている。そして、エンコーダ１７３から出力されたパルス信号は制御盤２１へ送信されることにより、乗りかご１３の位置を検出するための演算に用いられる。
【００１８】
制御盤２１は、図示されないが、乗りかご１３の昇降動作や情報表示器２２の表示処理を行うための各種の演算を行うＣＰＵ（Ｃｅｎｔｒａｌ  Ｐｒｏｃｅｓｓｉｎｇ  Ｕｎｉｔ）、ＣＰＵによる演算を実行するためのプログラムを格納するＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）等の記憶装置、及びＣＰＵがプログラムを実行する際の作業領域となるＲＡＭ（Ｒａｎｄｏｍ  Ａｃｃｅｓｓ  Ｍｅｍｏｒｙ）を含むハードウェアと、記憶装置に記憶され、ＣＰＵにより実行されるソフトウェアとから構成されている。
【００１９】
そして、これらのハードウェアとソフトウェアが協働することで制御盤２１としての機能が実現される。本実施形態は、このような制御盤２１の機能により、乗り場釦１９２による乗り場呼びの有無に応じて、乗りかご１３内の情報表示器２２の表示を制御することに特徴がある。なお、制御盤２１の機能を示す具体的な構成については、後で詳細に述べる。
【００２０】
一方、制御盤２１は、昇降路１２内に配設されたテールコード２３、中継器２４、及び通信ケーブル２５を介して乗りかご１３の機器に電気的に接続されている。テールコード２３は、一端が乗りかご１３の下部に接続され、他端が中継器２４に接続されており、昇降路１２内においてＵ字状に垂下されている。中継器２４は、昇降路１２の壁面に固定されており、乗りかご１３の各機器と制御盤２１との間で行われる通信を中継する装置である。
【００２１】
図２は乗りかご１３の内部の構成を示す図であり、乗りかご１３の背面側（かごドア１３１と反対側）から正面側（かごドア１３１側）を見た図である。
【００２２】
図２に示すように、乗りかご１３内には、正面側の壁に開閉可能に配置され、乗りかご１３と建物１１の各階の乗り場１９とを連絡する出入口を開閉するかごドア１３１と、正面側の壁のうちかごドア１３１の側方に配置され、乗りかご１３の行先階を示すかご呼び階へのかご呼びの入力を受け付けたり、かごドア１３１を開閉させる指示の入力を受け付けたりする操作盤１３２とが設けられている。
【００２３】
また、乗りかご１３内には、当該乗りかご１３の現在位置やかご呼び階等の乗りかご１３の運行情報を表示する前述の情報表示器２２、いわゆる、ＣＰＩ（Ｃａｒ  Ｐｏｓｉｔｉｏｎ  Ｉｎｄｉｃａｔｏｒ）が設けられている。なお、乗りかご１３の上部の外側には、後述のドア開釦１３２Ｃ又はドア閉釦１３２Ｄの操作に応じて、かごドア１３１を駆動するドア駆動装置（図示せず）が設置されている。
【００２４】
かごドア１３１は、例えば、乗りかご１３内の背面側から見て乗りかご１３の出入口の中央から左右の両側へ開閉する両開き構造になっている。なお、かごドア１３１は、このような両開き構造の場合に限らず、例えば、乗りかご１３内の背面側から見て左右の一方向へ開閉する片開き構造であってもよい。
【００２５】
操作盤１３２は、乗りかご１３内の利用者に対して、予め設定された情報を音声により通知するスピーカ１３２Ａと、上下方向に並んで配置された複数の行先階釦１３２Ｂと、これらのスピーカ１３２Ａと行先階釦１３２Ｂとの間に左右方向に並んで配置された前述のドア開釦１３２Ｃ及びドア閉釦１３２Ｄとを有している。
【００２６】
各行先階釦１３２Ｂは、乗りかご１３内の利用者によって押下されることにより、かご呼びの入力信号を出力する。ドア開釦１３２Ｃ及びドア閉釦１３２Ｄは、乗りかご１３内の利用者によって押下されることにより、かごドア１３１を開く開信号及びかごドア１３１を閉じる閉信号を出力する。これらのかご呼びの入力信号、開信号、及び閉信号は、テールコード２３を介して制御盤２１に入力される。
【００２７】
図３は本実施形態に係る乗りかご１３内の要部を拡大して示す図であり、情報表示器２２の構成を示す図である。
【００２８】
図３に示すように、情報表示器２２は、乗りかご１３内が混雑している状況において、乗りかご１３の奥側（背面側）にいる利用者からでも視認可能な位置、例えば、乗りかご１３の正面側の壁のうちかごドア１３１の上方に設置されている。また、情報表示器２２は、内部に搭載されたＬＥＤが発光することにより、利用者に対する案内を表示する矩形状の案内表示板から成っている。
【００２９】
具体的には、情報表示器２２は、かご呼び階を表示するかご呼び階表示部２２１と、このかご呼び階表示部２２１の下方に配置され、乗り場呼び階を表示する乗り場呼び階表示部２２２とを有している。かご呼び階表示部２２１は、例えば、建物１１の階床番号（図３に示す例では、「１」〜「１０」の数字）が左から右へ一定の間隔を空けて順に並べられており、これらの階床番号のうち、乗りかご１３の現在位置を示す階床番号が点滅し、かご呼び階が点灯して表示されるように構成されている。
【００３０】
乗り場呼び階表示部２２２においては、かご呼び階表示部２２１の各階床番号の位置に合わせて正方形状の発光領域（図３に示す例では、１０個の発光領域）２２２Ａが左から右へ一定の間隔を空けて順に並べられている。そして、乗り場呼び階表示部２２２は、これらの発光領域２２２Ａのうち、乗り場呼び階に対応する発光領域が点滅（図３に示す例では、かご呼び階表示部２２１の階床番号「４」の下方に位置する発光領域が点滅）又は点灯（図３に示す例では、かご呼び階表示部２２１の階床番号「５」、「７」、「９」の下方に位置する発光領域が点灯）して表示するように構成されている。
【００３１】
次に、本実施形態に係る情報表示器２２の表示を制御するための制御盤２１の機能構成について、図４を参照しながら詳細に説明する。図４は制御盤２１の主な機能を示す機能ブロック図である。
【００３２】
図４に示すように、制御盤２１は、位置演算部２１１、昇降方向検出部２１２、押下判定部２１３、乗り場呼び階記憶部２１４、及び表示制御部２１５を含んで構成されている。位置演算部２１１は、エンコーダ１７３から受信したパルス信号に基づいて、昇降路１２内における乗りかご１３の位置を演算する。
【００３３】
具体的には、位置演算部２１１は、例えば、乗りかご１３が昇降路１２内において予め設定された基準位置から上下方向へ移動すると、エンコーダ１７３から受信したパルス信号のカウントを開始する。上述の基準位置としては、例えば、建物１１の各階の乗り場１９に乗りかご１３が停止したときの乗りかご１３の停止位置を設定することが可能である。
【００３４】
また、位置演算部２１１は、カウントしたパルス信号の計数値に対応する基準位置からの距離を算出することにより、乗りかご１３の位置を求めることができる。したがって、エンコーダ１７３及び位置演算部２１１が、乗りかご１３の位置を検出する位置検出部として機能する。
【００３５】
昇降方向検出部２１２は、位置演算部２１１から得られた乗りかご１３の位置の時間推移に基づいて、乗りかご１３の昇降方向を検出する。より詳細には、昇降方向検出部２１２は、単位時間当たりの乗りかご１３の位置が高くなっていれば、上昇方向を検出し、単位時間当たりの乗りかご１３の位置が低くなっていれば、下降方向を検出する。
【００３６】
なお、上述した昇降方向検出部２１２による乗りかご１３の昇降方向の検出は一例にすぎず、昇降方向検出部２１２は、例えば、エンコーダ１７３からのパルス信号を取得し、このパルス信号の極性から乗りかご１３の昇降方向を判断してもよいし、あるいはモータ１７２の出力軸にトルクセンサを設け、このトルクセンサから得られたモータ１７２のトルクを基に乗りかご１３の昇降方向を求めてもよい。
【００３７】
押下判定部２１３は、乗り場釦１９２の入力信号を受信したとき、乗り場釦１９２が押下されたと判定し、乗り場釦１９２の入力信号を受信していないとき、乗り場釦１９２が押下されていないと判定する。乗り場呼び階記憶部２１４は、乗り場釦１９２による乗り場呼びの入力を受け付けた乗り場呼び階を記憶する。なお、乗り場呼び階記憶部２１４は、上述したＲＯＭやＨＤＤ等の記憶装置により実現される。
【００３８】
表示制御部２１５は、乗り場呼び階記憶部２１４に記憶された乗り場呼び階を情報表示器２２に表示する制御を行う。また、表示制御部２１５は、図３を用いて説明したように、乗り場呼び階記憶部２１４に記憶された乗り場呼び階を、点滅及び点灯の表示態様を用いて表示する制御を行う。
【００３９】
さらに、表示制御部２１５は、乗り場呼び階記憶部２１４に記憶された乗り場呼び階のうち、位置演算部２１１から得られた乗りかご１３の位置よりも、昇降方向検出部２１２によって検出された乗りかご１３の昇降方向側に位置する乗り場呼び階のみを表示する制御を行う。
【００４０】
次に、このような構成の制御盤２１によって実施される乗り場呼び階を表示させるための情報表示器２２の表示処理について、図５のフローチャートに基づいて詳細に説明する。
【００４１】
図５に示すように、まずは、制御盤２１の押下判定部２１３は、乗り場釦１９２の入力信号の有無を確認し、乗り場釦１９２が押下されたか否かを判定する（ステップ（以下、Ｓと記す）５０１）。このとき、押下判定部２１３は、乗り場釦１９２が押下されていないと判定すると（Ｓ５０１／ＮＯ）、Ｓ５０１の処理が繰り返される。
【００４２】
Ｓ５０１において、押下判定部２１３は、乗り場釦１９２が押下されたと判定すると（Ｓ５０１／ＹＥＳ）、乗り場釦１９２による乗り場呼びの入力を受け付けた乗り場呼び階を乗り場呼び階記憶部２１４に記憶する（Ｓ５０２）。したがって、例えば、建物１１の５階の乗り場１９に設置された乗り場釦１９２が押下された場合には、乗り場呼び階として５階が乗り場呼び階記憶部２１４に記憶されることになる。
【００４３】
次に、表示制御部２１５は、位置演算部２１１の演算結果及び昇降方向検出部２１２の検出結果を確認し、乗り場呼び階記憶部２１４に記憶された乗り場呼び階が、位置演算部２１１から得られた乗りかご１３の位置よりも、昇降方向検出部２１２によって検出された乗りかご１３の昇降方向側に位置する乗り場呼び階であるか否かを判断する（Ｓ５０３）。
【００４４】
具体例としては、乗り場呼び階記憶部２１４に乗り場呼び階として５階が記憶されている場合に、表示制御部２１５は、位置演算部２１１の演算結果及び昇降方向検出部２１２の検出結果から、例えば、乗りかご１３の位置が３階であり、かつ、乗りかご１３の昇降方向が上昇方向であることを確認すると、乗り場呼び階が乗りかご１３の昇降方向側に位置すると判断する（Ｓ５０３／ＹＥＳ）。
【００４５】
一方、表示制御部２１５は、位置演算部２１１の演算結果及び昇降方向検出部２１２の検出結果から、例えば、乗りかご１３の位置が３階であり、かつ、乗りかご１３の昇降方向が下降方向であることを確認すると、乗り場呼び階が乗りかご１３の昇降方向側に位置しないと判断する（Ｓ５０３／ＮＯ）。
【００４６】
Ｓ５０３において、表示制御部２１５は、乗り場呼び階が乗りかご１３の昇降方向側に位置しないと判断すると（Ｓ５０３／ＮＯ）、その乗り場呼び階が乗りかご１３の昇降方向側に位置するまで当該乗り場呼び階を乗り場呼び階記憶部２１４に記憶させたまま、Ｓ５０１からの処理が繰り返される。
【００４７】
一方、Ｓ５０３において、表示制御部２１５は、乗り場呼び階が乗りかご１３の昇降方向側に位置すると判断すると（Ｓ５０３／ＹＥＳ）、その乗り場呼び階を乗り場呼び階記憶部２１４から抽出し（Ｓ５０４）、抽出した乗り場呼び階を点灯対象に設定する。続いて、表示制御部２１５は、この点灯対象の乗り場呼び階を点灯させるための点灯信号を生成し、生成した点灯信号を情報表示器２２に送信することにより（Ｓ５０５）、情報表示器２２の乗り場呼び階表示部２２２のうち、点灯対象の乗り場呼び階に対応する発光領域２２２Ａを点灯させる（Ｓ５０６）。
【００４８】
その後、表示制御部２１５は、点灯対象の乗り場呼び階を乗り場呼び階記憶部２１４から削除する（Ｓ５０７）。これにより、制御盤２１による情報表示器２２の表示処理における誤作動を未然に防止すると共に、制御盤２１のＲＯＭやＨＤＤ等の記憶装置の容量を確保することが可能となる。
【００４９】
次に、表示制御部２１５は、位置演算部２１１の演算結果及び行先階釦１３２Ｂの入力信号を確認し、乗りかご１３の位置がかご呼び階又は乗り場呼び階であるか否か、すなわち、乗りかご１３が停止階に到着したか否かを判断する（Ｓ５０８）。このとき、表示制御部２１５は、乗りかご１３が停止階に到着していないと判断すると（Ｓ５０８／ＮＯ）、乗り場呼び階表示部２２２の発光領域２２２Ａをそのまま点灯させた状態に保持し（Ｓ５０９）、Ｓ５０８からの処理が繰り返される。
【００５０】
一方、Ｓ５０８において、表示制御部２１５は、乗りかご１３が停止階に到着したと判断すると（Ｓ５０８／ＹＥＳ）、その停止階が乗り場呼び階である場合に、当該乗り場呼び階を点滅対象に設定する。続いて、表示制御部２１５は、この点滅対象の乗り場呼び階を点滅させるための点滅信号を生成し、生成した点滅信号を情報表示器２２に送信することにより（Ｓ５１０）、情報表示器２２の乗り場呼び階表示部２２２のうち、点滅対象の乗り場呼び階に対応する発光領域２２２Ａを点滅させる（Ｓ５１１）。
【００５１】
次に、表示制御部２１５は、乗り場呼び階表示部２２２の発光領域２２２Ａを点滅させた状態で暫く保持した後、当該発光領域２２２Ａを消灯する（Ｓ５１２）。このような処理により、本実施形態に係る制御盤２１による情報表示器２２の表示処理が完了する。
【００５２】
このように構成した本実施形態に係るエレベータ１０１の表示装置によれば、建物１１の乗り場１９に設置された乗り場釦１９２が押下されると、表示制御部２１５が、その乗り場釦１９２に対応する乗り場呼び階を情報表示器２２の乗り場呼び階表示部２２２に表示することにより、利用者が、かご呼び階だけでなく、乗り場呼び階を含む乗りかご１３の全ての停止階を把握できるので、自分の行先階へ到着するまでの時間を容易に予測することができる。
【００５３】
また、利用者が、情報表示器２２の乗り場呼び階表示部２２２を確認することにより、仮に乗りかご１３がかご呼び階へ向かう途中の階で乗り場呼びに応答して停止した場合でも、乗りかご１３内の利用者が停止階を自分の行先階と勘違いして降車するのを防止することができる。
【００５４】
さらに、乗りかご１３内が混雑している等の理由で利用者が行先階釦１３２Ｂを押下できない状況において、利用者は、情報表示器２２の乗り場呼び階表示部２２２から乗り場呼びによる停止階を前もって知ることができる。そのため、利用者の行先階と乗り場呼び階とが一致した場合に、利用者は行先階釦１３２Ｂを押下しなくて済むので、そのような状況下における利用者の負担を軽減することができる。
【００５５】
このように、本実施形態は、建物１１の各階における乗り場１９の利用状況を乗りかご１３内から把握することが可能となるので、エレベータ１０１の利用者に対する利便性を向上させることができる。
【００５６】
また、本実施形態に係るエレベータ１０１の表示装置では、表示制御部２１５が、乗り場呼び階記憶部２１４に記憶された乗り場呼び階を点滅又は点灯させて表示することにより、乗りかご１３内の利用者は、乗りかご１３が乗り場呼び階に到着した際に、乗り場１９から他の利用者が乗車してくるのを容易に判断することができる。
【００５７】
したがって、乗りかご１３内の利用者は、乗り場１９から乗り込もうとする他の利用者に対して、乗車スペースを予め提供することが可能となる。しかも、乗りかご１３内の利用者は、乗りかご１３から降車する際に、他の利用者が乗り場１９で待機しているのを事前に確認できるので、乗りかご１３の乗降時における利用者同士の不用意な衝突を未然に回避することができる。
【００５８】
また、本実施形態に係るエレベータ１０１の表示装置では、表示制御部２１５が、乗り場呼び階記憶部２１４に記憶された乗り場呼び階のうち、乗りかご１３の位置よりも昇降方向の先にある乗り場呼び階のみを表示するようにしているので、乗りかご１３内の利用者が自分にとって必要な情報を乗り場呼び階表示部２２２から効率良く取得することができる。これにより、エレベータ１０１の利用者に対する利便性をより高めることができる。
【００５９】
特に、本実施形態に係るエレベータ１０１の表示装置では、このような構成により、利用者の行先階よりも昇降方向の先にある乗り場呼び階も乗り場呼び階表示部２２２に表示されることになるので、仮に利用者が、乗りかご１３の昇降中に自分の行先階よりも昇降方向の先にある乗り場呼び階へ行きたくなった場合に、行先階釦１３２Ｂを押下しなくて済む。このように、本実施形態は、乗りかご１３内の利用者に対して、使い勝手に優れたエレベータ１０１を提供することができる。
【００６０】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００６１】
また、本実施形態では、表示制御部２１５が、乗り場呼び階記憶部２１４に記憶された乗り場呼び階を、点滅及び点灯の双方の表示態様を用いて表示した場合について説明したが、本発明はこの場合に限らず、表示制御部２１５が、乗り場呼び階記憶部２１４に記憶された乗り場呼び階を、点滅及び点灯のいずれかの表示態様を用いて表示してもよい。
【００６２】
さらに、本実施形態では、表示制御部２１５は、乗りかご１３が停止階に到着した際に、その停止階と、乗り場呼び階記憶部２１４に記憶された乗り場呼び階とが一致した場合に、乗り場呼び階表示部２２２に表示される乗り場呼び階を点滅させた構成について説明したが、本発明はこの構成に加えて、利用者に対する案内放送を操作盤１３２のスピーカ１３２Ａから音声で行ってもよい。
【符号の説明】
【００６３】
１１…建物、１２…昇降路、１３…乗りかご、１７…巻上機、１９…乗り場、２１…制御盤、２２…情報表示器
１０１…エレベータ、１３１…かごドア、１３２…操作盤、１３２Ａ…スピーカ、１３２Ｂ…行先階釦、１３２Ｃ…ドア開釦、１３２Ｄ…ドア閉釦、１７１…駆動シーブ、１７２…モータ、１７３…エンコーダ（位置検出部）、１９１…乗り場ドア、１９２…乗り場釦
２１１…位置演算部（位置検出部）、２１２…昇降方向検出部、２１３…押下判定部、２１４…乗り場呼び階記憶部、２１５…表示制御部、２２１…かご呼び階表示部、２２２…乗り場呼び階表示部、２２２Ａ…発光領域
【図１】
0006499607.tif 000002
【図２】
0006499607.tif 000003
【図３】
0006499607.tif 000004
【図４】
0006499607.tif 000005
【図５】
0006499607.tif 000006